【手続補正書】
【提出日】平成17年6月27日(2005.6.27)
【手続補正１】
【補正対象書類名】明細書
【補正対象項目名】特許請求の範囲
【補正方法】変更
【補正の内容】
【特許請求の範囲】
【請求項１】
（ａ）熱、酸化または光により誘導される分解を受けやすい有機材料、および（ｂ）Ｎ，Ｎ’，Ｎ’’’−トリス｛２，４−ビス［（１−ヒドロカルビルオキシ−２，２，６，６−テトラメチルピペリジン−４−イル）アルキルアミノ］−ｓ−トリアジン−６−イル｝−３，３’−エチレンジイミノジプロピルアミン；Ｎ，Ｎ’，Ｎ’’−トリス｛２，４−ビス［（１−ヒドロカルビルオキシ−２，２，６，６−テトラメチルピペリジン−４−イル）アルキルアミノ］−ｓ−トリアジン−６−イル｝−３，３’−エチレンジイミノジプロピルアミンならびに式Ｉ、ＩＩ、ＩＩＡおよびＩＩＩ
【化１】
1999080569.tif 000001
（式中Ｅは、
【化２】
1999080569.tif 000002
を表し、Ｅ1は
【化３】
1999080569.tif 000003
を表し、
式Ｉで表されるテトラアミンにおいて、Ｒ1およびＲ2はｓ−トリアジン部分Ｅを表し、そしてＲ3およびＲ4の一方はｓ−トリアジン部分Ｅを表し、Ｒ3およびＲ4の他方は水素原子を表し、
Ｒはメチル基、シクロヘキシル基またはオクチル基を表し、
Ｒ5は１ないし１２個の炭素原子を有するアルキル基を表し、
式ＩＩまたはＩＩＡで表される化合物において、Ｒがシクロヘキシル基またはオクチル基を表すとき、
ＴおよびＴ1はそれぞれ、式Ｉに関して定義されたようなＲ1ないしＲ4により置換されたテトラアミンを表し、式中
（１）それぞれのテトラアミンにおけるｓ−トリアジン部分Ｅの１つが、２つのテトラアミンＴおよびＴ1の間で架橋を形成するＥ1により置き換えられ、
あるいは
（２）該テトラアミンの２つのＥ部分が１つのＥ1と置き換えられる式ＩＩＡにおけるように、Ｅ1は同一のテトラアミンＴにおいて両末端を有することができ、
あるいは
（３）テトラアミンＴの３つのｓ−トリアジン置換基の全ては、ＴおよびＴ1を連結させる１つのＥ1ならびにテトラアミンＴにおいて両末端を有する二番目のＥ1のようなＥ1を表すことができ、
Ｌはシクロヘキサンジイル基またはオクタンジイル基を表し、
式ＩＩＩで表される化合物において、
Ｇ、Ｇ1およびＧ2はそれぞれ、式Ｉに関して定義されたようなＲ1ないしＲ4により置換されたテトラアミンを表すが、例外としてＧおよびＧ2はそれぞれ、Ｅ1により置き換えられた１つのｓ−トリアジン部分Ｅを有し、そしてＧ1はＥ1により置き換えられた２つのｓ−トリアジン部分Ｅを有し、そのためＧおよびＧ1の間に架橋が存在し、Ｇ1およびＧ2の間に二番目の架橋が存在する。）で表される架橋型誘導体の混合物を含む、熱、酸化または光により誘導される分解に対して安定化された組成物。
【請求項２】
さらに、フェノール系酸化防止剤、２−（２’−ヒドロキシフェニル）−ベンゾトリアゾール、ヒドロキシフェニル−ｓ−トリアジン、金属ステアレート、酸化金属、有機リン化合物、フラノン酸化防止剤、ヒドロキシルアミン、立体障害性アミンおよびその混合物からなる群から選ばれる補助添加安定剤の少なくとも一種を有効安定化量で含む請求項１に記載の組成物。
【請求項３】
Ｎ，Ｎ’，Ｎ’’’−トリス｛２，４−ビス［（１−ヒドロカルビルオキシ−２，２，６，６−テトラメチルピペリジン−４−イル）アルキルアミノ］−ｓ−トリアジン−６−イル｝−３，３’−エチレンジイミノジプロピルアミン；Ｎ，Ｎ’，Ｎ’’−トリス｛２，４−ビス［（１−ヒドロカルビルオキシ−２，２，６，６−テトラメチルピペリジン−４−イル）アルキルアミノ］−ｓ−トリアジン−６−イル｝−３，３’−エチレンジイミノジプロピルアミンならびに式Ｉ、ＩＩ、ＩＩＡおよびＩＩＩ
【化４】
1999080569.tif 000004
（式中Ｅは、
【化５】
1999080569.tif 000005
を表し、Ｅ1は
【化６】
1999080569.tif 000006
を表し、
式Ｉで表されるテトラアミンにおいて、Ｒ1およびＲ2はｓ−トリアジン部分Ｅを表し、そしてＲ3およびＲ4の一方はｓ−トリアジン部分Ｅを表し、Ｒ3およびＲ4の他方は水素原子を表し、Ｒはメチル基、シクロヘキシル基またはオクチル基を表し、
Ｒ5は１ないし１２個の炭素原子を有するアルキル基を表し、
式ＩＩまたはＩＩＡで表される化合物において、Ｒがシクロヘキシル基またはオクチル基を表すとき、
ＴおよびＴ1はそれぞれ、式Ｉに関して定義されたようなＲ1ないしＲ4により置換されたテトラアミンを表し、式中
（１）それぞれのテトラアミンにおけるｓ−トリアジン部分Ｅの１つが、２つのテトラアミンＴおよびＴ1の間で架橋を形成するＥ1により置き換えられ、
あるいは
（２）該テトラアミンの２つのＥ部分が１つのＥ1と置き換えられる式ＩＩＡにおけるように、Ｅ1は同一のテトラアミンＴにおいて両末端を有することができ、
あるいは
（３）テトラアミンＴの３つのｓ−トリアジン置換基の全ては、ＴおよびＴ1を連結させる１つのＥ1ならびにテトラアミンＴにおいて両末端を有する二番目のＥ1のようなＥ1を表すことができ、
Ｌはシクロヘキサンジイル基またはオクタンジイル基を表し、
式ＩＩＩで表される化合物において、
Ｇ、Ｇ1およびＧ2はそれぞれ、式Ｉに関して定義されたようなＲ1ないしＲ4により置換されたテトラアミンを表すが、例外としてＧおよびＧ2はそれぞれ、Ｅ1により置き換えられた１つのｓ−トリアジン部分Ｅを有し、そしてＧ1 はＥ1 により置き換えられた２つのｓ−トリアジン部分Ｅを有し、そのためＧおよびＧ1 の間に架橋が存在し、Ｇ1 およびＧ2の間に二番目の架橋が存在する。）で表される架橋型誘導体の混合物。
【請求項４】
２ないし４当量の２，４−ビス［（１−ヒドロカルビルオキシ−２，２，６，６−テトラメチルピペリジン−４−イル）ブチルアミノ］−６−クロロ−ｓ−トリアジンを１当量のＮ，Ｎ’−ビス（３−アミノプロピル）エチレンジアミンと反応させることにより得ることが可能な組成物。
【請求項５】
２ないし４当量の２，４−ビス［（１−ヒドロカルビルオキシ−２，２，６，６−テトラメチルピペリジン−４−イル）ブチルアミノ］−６−クロロ−ｓ−トリアジンを１当量のＮ，Ｎ’−ビス（３−アミノプロピル）エチレンジアミンと反応させることからなる請求項３に記載の、Ｎ，Ｎ’，Ｎ’’’−トリス｛２，４−ビス［（１−ヒドロカルビルオキシ−２，２，６，６−テトラメチルピペリジン−４−イル）アルキルアミノ］−ｓ−トリアジン−６−イル｝−３，３’−エチレンジイミノジプロピルアミン；Ｎ，Ｎ’，Ｎ’’−トリス｛２，４−ビス［（１−ヒドロカルビルオキシ−２，２，６，６−テトラメチルピペリジン−４−イル）アルキルアミノ］−ｓ−トリアジン−６−イル｝−３，３’−エチレンジイミノジプロピルアミンならびに式Ｉ、ＩＩ、ＩＩＡおよびＩＩＩで表される架橋型誘導体の混合物を製造する方法。
【請求項６】
以下の化合物、ａ）Ｎ，Ｎ’，Ｎ’’’−トリス｛２，４−ビス［（１−シクロヘキシルオキシ−２，２，６，６−テトラメチルピペリジン−４−イル）ｎ−ブチルアミノ］−ｓ−トリアジン−６−イル｝−３，３’−エチレンジイミノジプロピルアミン；
ｂ）Ｎ，Ｎ’，Ｎ’’−トリス｛２，４−ビス［（１−シクロヘキシルオキシ−２，２，６，６−テトラメチルピペリジン−４−イル）ｎ−ブチルアミノ］−ｓ−トリアジン−６−イル｝−３，３’−エチレンジイミノジプロピルアミン；
ｃ）Ｎ，Ｎ’，Ｎ’’’−トリス｛２，４−ビス［（１−オクチルオキシ−２，２，６，６−テトラメチルピペリジン−４−イル）ｎ−ブチルアミノ］−ｓ−トリアジン−６−イル｝−３，３’−エチレンジイミノジプロピルアミン；
ｄ）Ｎ，Ｎ’，Ｎ’’−トリス｛２，４−ビス［（１−オクチルオキシ−２，２，６，６−テトラメチルピペリジン−４−イル）ｎ−ブチルアミノ］−ｓ−トリアジン−６−イル｝−３，３’−エチレンジイミノジプロピルアミン；
ｅ）Ｎ，Ｎ’，Ｎ’’’−トリス｛２，４−ビス［（１−メトキシ−２，２，６，６−テトラメチルピペリジン−４−イル）ｎ−ブチルアミノ］−ｓ−トリアジン−６−イル｝−３，３’−エチレンジイミノジプロピルアミン；
ｆ）Ｎ，Ｎ’，Ｎ’’−トリス｛２，４−ビス［（１−メトキシ−２，２，６，６−テトラメチルピペリジン−４−イル）ｎ−ブチルアミノ］−ｓ−トリアジン−６−イル｝−３，３’−エチレンジイミノジプロピルアミン。